(57)【要約】【課題】光ディスク装置において、光ディスクのフォーマット処理を確実に行える技術の提供。【解決手段】半径幅を０．５０×１０−３ｍ以上の値、例えば０．５０×１０−３ｍに設定したリードアウト領域の記録中に記録エラーが検出されたとき、該記録エラーのアドレスの半径位置情報に基づき、該記録エラーの発生前に記録されたリードアウト領域の半径幅が所定値の例えば０．４５×１０−３ｍに達しているか否かを判定し、該所定値に達していない場合は上記リードアウト領域の記録動作を停止させてフォーマット処理をエラー終了させ、該所定値に達している場合はフォーマット処理を正常終了させる構成とする。【選択図】  図５
2004227733.tif 000002
【特許請求の範囲】
【請求項１】
光ディスクに対しフォーマット処理可能な光ディスク装置であって、
フォーマット処理として少なくともリードアウト領域を記録する第１の手段と、
上記フォーマット処理における記録エラーを検出し該記録エラーのアドレスに基づき該記録エラーの光ディスク上の半径位置を演算し、該演算した半径位置情報に基づき上記第１の手段を制御する第２の手段と、
を備え、半径幅を０．５０×１０−３ｍ以上に設定したリードアウト領域の記録中に記録エラーが検出されたとき、記録エラー発生部の半径位置情報に基づき、該記録エラーの発生前に記録されたリードアウト領域の半径幅が所定値に達しているか否かを判定し、該所定値に達していない場合は上記リードアウト領域の記録動作を停止させてフォーマット処理をエラー終了させ、該所定値に達している場合はフォーマット処理を正常終了させる構成としたことを特徴とする光ディスク装置。
【請求項２】
光ディスクに対しフォーマット処理可能な光ディスク装置であって、
フォーマット処理としてリードイン領域、ユーザデータ領域及びリードアウト領域を記録する第１の手段と、
上記フォーマット処理における記録エラーを検出し該記録エラーのアドレスに基づき該記録エラーの光ディスク上の半径位置を演算し、該演算した半径位置情報に基づき上記第１の手段を制御する第２の手段と、
を備え、上記リードイン領域及びユーザデータ領域に記録中に記録エラーが検出されたときは、各領域における記録動作を停止させてフォーマット処理をエラー終了させ、上記リードアウト領域の記録については、半径幅を０．５０×１０−３ｍ以上に設定したリードアウト領域の記録中に記録エラーが検出されたとき、記録エラー発生部の半径位置情報に基づき、該記録エラーの発生前に記録されたリードアウト領域の半径幅が所定値に達しているか否かを判定し、該所定値に達していない場合は上記リードアウト領域の記録動作を停止させてフォーマット処理をエラー終了させ、該所定値に達している場合はフォーマット処理を正常終了させる構成としたことを特徴とする光ディスク装置。
【請求項３】
光ディスクに対しフォーマット処理可能な光ディスク装置であって、
フォーマット処理としてリードイン領域、ユーザデータ領域及びリードアウト領域を記録する記録手段と、
上記フォーマット処理における記録エラーを検出し、該記録エラーのアドレスの光ディスク上の半径位置を求めるエラー検出手段と、
上記求められた半径位置の情報に基づき上記記録手段を制御する制御手段と、
を備え、光ディスクに対し、半径幅を０．５０×１０−３ｍ以上に設定したリードアウト領域の記録中に記録エラーが検出されたとき、記録エラーのアドレスの半径位置の情報に基づき、該記録エラーの発生前に記録されたリードアウト領域の半径幅が所定値に達しているか否かを判定し、該所定値に達していない場合は上記リードアウト領域の記録動作を停止させてフォーマット処理をエラー終了させ、該所定値に達している場合はフォーマット処理を正常終了させる構成としたことを特徴とする光ディスク装置。
【請求項４】
上記判定時の半径幅の所定値が０．４５×１０−３ｍから０．５０×１０−３ｍの範囲の値とされる請求項１、２または３に記載の光ディスク装置。
【請求項５】
光ディスクに対しフォーマット処理を行う光ディスクのフォーマット処理方法であって、
フォーマット処理として少なくとも、半径幅を０．５０×１０−３ｍ以上に設定したリードアウト領域を光ディスクに記録するステップと、
上記フォーマット処理における記録エラーを検出し、該記録エラーの光ディスク上の半径位置を求めるステップと、
該半径位置情報に基づき、該記録エラーの発生前に記録されたリードアウト領域の半径幅が所定値に達しているか否かを判定するステップと、
該判定の結果、該所定値に達していない場合は上記リードアウト領域の記録動作を停止させてフォーマット処理をエラー終了させ、該所定値に達している場合はフォーマット処理を正常終了させるステップと、
を経てフォーマット処理を行うことを特徴とする光ディスクのフォーマット処理方法。
【請求項６】
光ディスクに対しフォーマット処理を行う光ディスクのフォーマット処理方法であって、
フォーマット処理としてリードイン領域を光ディスクに記録し該記録中にリードイン領域の記録エラーを検出する第１のステップと、
該第１のステップで、記録エラーが検出されたときは記録動作を停止させてフォーマット処理をエラー終了させ、記録エラーが検出されないときは記録を続行してユーザデータ領域の記録に移行する第２のステップと、
フォーマット処理としてユーザデータ領域を光ディスクに記録し該記録中に該ユーザデータ領域の記録エラーを検出する第３のステップと、
該第３のステップで、記録エラーが検出されたときは、記録動作を停止させてフォーマット処理をエラー終了させ、記録エラーが検出されないときは記録を続行してリードアウト領域の記録に移行する第４のステップと、
フォーマット処理として、半径幅を０．５０×１０−３ｍ以上に設定したリードアウト領域を記録し該記録中に該ユーザデータ領域の記録エラーを検出し、該記録エラーが発生した光ディスク上の半径位置を求める第５のステップと、
該半径位置情報に基づき、該記録エラーの発生前に記録されたリードアウト領域の半径幅が所定値に達しているか否かを判定する第６のステップと、
該判定の結果、該所定値に達していない場合は上記リードアウト領域の記録動作を停止させてフォーマット処理をエラー終了させ、該所定値に達している場合はフォーマット処理を正常終了させる第７のステップと、
を経てフォーマット処理を行うことを特徴とする光ディスクのフォーマット処理方法。
【発明の詳細な説明】
【０００１】
【発明の属する技術分野】
本発明は、光ディスクに光学的に情報を記録または再生のいずれかまたは両方を行う光ディスク装置に係り、特に、そのフォーマット処理技術に関する。
【０００２】
【従来の技術】
従来、光ディスク装置としては種々の方式のものがあり、記録媒体としての光ディスクにも、ＤＶＤ−Ｒ、ＤＶＤ−ＲＡＭ、ＤＶＤ−ＲＷなどがある。このうち、ＤＶＤ−ＲＷでは、ＤＶＤ−Ｒのような連続記録モード（Ｉｎｃｒｅｍｅｎｔａｌ  Ｗｒｉｔｅ  Ｍｏｄｅ）とＤＶＤ−ＲＡＭに類似したオーバライトモード（Ｒｅｓｔｒｉｃｔｅｄ  Ｏｖｅｒｗｒｉｔｅ  Ｍｏｄｅ）の２つのモードがあるため、該オーバライトモードで使用するときにはユーザがフォーマット処理をする必要がある。ＤＶＤ−ＲＷにおけるフォーマット処理では、光ディスクの内周から順に設けられたリードイン領域、データ領域、リードアウト領域の３つの領域に、それぞれの領域に応じた情報を記録する。リードイン領域は、データの開始を示すとともに、各種の付加情報が記録される。リードアウト領域は、データの終了を示すとともに、リードアウト特有の信号が記録される。データ領域はユーザデータが記録される領域であり、該フォーマット処理のときには、ゼロデータが記録される。以下、ＤＶＤ−ＲＷにおけるこのようなフォーマット処理を、単にフォーマット処理という。
【０００３】
本発明のフォーマット処理に関し文献に記載された公知技術としては、例えば特開平１１−２３８３１５号公報（特許文献１）や、特開平８−１８０４１１号公報（特許文献２）に記載されたものがある。特開平１１−２３８３１５号公報には、初期化処理（フォーマット処理）の時間短縮技術として、初期化処理が開始されたとき、フォーカシングサーボを起動してリードイン領域の先頭アドレスにサーチし、未記録ディスクでない場合に、リードイン領域にアクセス中であることを確認してから、リードイン領域中のコントロールデータ領域の先頭アドレスにサーチするとした技術が記載されている。特開平８−１８０４１１号公報には、光ディスクのプログラム記録領域に記録中に記録エラーが発生した場合にも、データの読込み及び追記を可能にするための技術として、記録エラー発生時に、強制的にリードインまたはリードアウト領域の記録を開始する手段や、リードインまたはリードアウト情報に記録エラー履歴を残す手段や、リードインまたはリードアウト領域の記録を続行する手段などを含むマイコンを備えた構成が記載されている。
【０００４】
【特許文献１】
特開平１１−２３８３１５号公報
【特許文献２】
特開平８−１８０４１１号公報
【０００５】
【発明が解決しようとする課題】
ＤＶＤ−ＲＷにおけるフォーマット処理は光ディスクの内周から外周までほぼ全面にわたって記録を行うため、フォーマット処理中に記録エラーが生じることがある。エラーを生じたディスクは使用不能とされる場合が多い。このため、フォーマット処理のエラーをできるだけ少なくし、使用不能とされるディスクを減らす必要がある。光ディスクは、その外周部において、チルト（ダレや傾き）が発生し易いことや、面振れ等の機械特性が急激に劣化し易いことや、ディスク成形時の歪等が発生し易いことなどにより、記録エラーが特に光ディスク外周部で多く発生する傾向にある。従って、特に光ディスク外周部においては、確実なフォーマット処理が望まれる。
本発明の課題点は、上記従来技術の状況に鑑み、光ディスク装置において、光ディスクのフォーマット処理における記録エラーを減らし、必要範囲でのフォーマット処理を確実に行えるようにすることである。
本発明の目的は、かかる課題点を解決できる技術の提供にある。
【０００６】
【課題を解決するための手段】
上記課題点を解決するために、本発明では、基本的に、光ディスク装置において、（１）半径幅を０．５０×１０−３ｍ以上の値、例えば０．５０×１０−３ｍに設定したリードアウト領域の記録中に記録エラーが検出されたとき、該記録エラーのアドレスから割出した半径位置情報に基づき、該記録エラーの発生前に記録されたリードアウト領域の半径幅が、所定値の例えば０．４５×１０−３ｍに達しているか否かを判定し、該所定値に達していない場合は上記リードアウト領域の記録動作を停止させてフォーマット処理をエラー終了させ、また、該所定値に達している場合はフォーマット処理を正常終了させる構成とする。（２）リードイン領域及びユーザデータ領域に記録中に記録エラーが検出されたときは、該各領域における記録動作を停止させてフォーマット処理をエラー終了させ、リードアウト領域については、半径幅を０．５０×１０−３ｍ以上の値例えば０．５０×１０−３ｍに設定したリードアウト領域の記録中に記録エラーが検出されたとき、該記録エラーのアドレスから求めた半径位置情報に基づき、該記録エラーの発生前に記録されたリードアウト領域の半径幅が所定値の例えば０．４５×１０−３ｍに達しているか否かを判定し、該所定値に達していない場合はリードアウト領域の記録動作を停止させてフォーマット処理をエラー終了させ、該所定値に達している場合はフォーマット処理を正常終了させる構成とする。
【０００７】
【発明の実施の形態】
以下、本発明の実施例につき、図面を用いて説明する。
図１は、本発明の実施例としての光ディスク装置の構成例を示す図である。
図１において、１００は記録媒体としての光ディスク、２００は、内部に、記録再生用の半導体レーザ、各種レンズ、ディテクタ等を備えた光ヘッド、２１０はフォーカス誤差信号、２２０は光ヘッド２００のフォーカス制御とトラッキング制御を行うフォーカス・トラッキング制御回路、２３０はトラッキング誤差信号、２５０は光ディスク面にピットで形成された情報（ＬＰＰ（Ｌａｎｄ  Ｐｒｅ  Ｐｉｔ）情報）を復調するためのＬＰＰ復調回路、２６０はＲＦ信号、２７０はＲＦ信号に基づきデータの復調を行うデータ復調回路、４２０は符号化回路、４３０は、記録モード用や消去モード用のパルスを形成する記録パルス変換回路、４４０はレーザ出力を設定するためのレーザパワー設定回路、４５０はレーザ半導体を駆動するレーザ駆動回路、５００はシステムコントローラ、６００は光ディスク１００を回転駆動するスピンドルモータ、６１０はスピンドルモータ６００を制御するモータ制御回路、６２０は光ヘッド２００を光ディスク１００の半径方向に移動させるスライダモータ、６３０はスライダモータ６２０を制御するスライダモータ制御回路、７００は記録データである。かかる構成において、フォーカス・トラッキング制御回路２２０は、入力されるフォーカス誤差信号２１０とトラッキング誤差信号２３０に基づき、光ヘッド２００の対物レンズ（図示なし）を制御することで正確にフォーカス・トラッキングを行い、光ディスク１００に対し情報を記録または再生する。また、光ヘッド２００からのＲＦ信号２６０は、ＬＰＰ復調回路２５０によって番地情報信号（アドレス信号）に復調され、システムコントローラ５００に送られる。また、ＲＦ信号２６０は、データ復調回路２７０を通して、システムコントローラ５００に送られ、データとして再生される。データ記録に際しては、記録データ７００を、システムコントローラ５００、符号化回路４２０、記録パルス変換回路４３０、レーザ駆動回路４５０を経由して光ヘッド２００に送り、該光ヘッド２００で光ディスク１００に記録する。システムコントローラ５００により制御されたレーザパワー設定回路４４０より、レーザの記録パワー、消去パワー、再生パワー等の各種パワーのパワー値及びパルス幅が設定され、該設定値が記録パルス変換回路４３０に送られる。該記録パルス変換回路４３０では記録モード用や消去モード用のパルスが形成される。また、モータ制御回路６１０、スライダモータ制御回路６３０もシステムコントローラ５００により制御される。フォーマット処理における記録の場合も同様である。本実施例においては、フォーマット処理における記録時の記録エラーの検出はフォーカス・トラッキング制御回路２２０とシステムコントローラ５００とにより行う。フォーマット処理としての記録動作の際、フォーカス・トラッキング制御回路２２０とシステムコントローラ５００によりデフォーカス量及びデトラック量をモニターしながら、所定のデフォーカス量、デトラック量以上になった時点で記録エラー検出信号を出力する。本実施例の場合、例えば、上記所定のデフォーカス量は２×１０−６ｍ、デトラック量は０．１５×１０−６ｍに設定するものとする。これらの値は、これらの値に限定されるもので���なく、例えば光ヘッド２００の特性に従った変更も可能である。また、記録エラー検出用の回路としては、上記フォーカス・トラッキング制御回路２２０及び上記システムコントローラ５００に加え、さらに、ＬＰＰ復調回路２５０、データ復調回路２７０またはモータ制御回路６１０等を設ける構成としてもよい。かかる構成とした場合は、記録エラーの検出精度の向上が可能となる。記録エラー発生部のアドレスの検出と、該アドレスの半径位置の検出は、ＬＰＰ復調回路２５０とシステムコントローラ５００とにより行う。すなわち、フォーマット処理において記録エラーが発生した場合には、ＬＰＰ復調回路２５０が、記録エラーが発生した部分のアドレスを示すアドレス信号を検出し、システムコントローラ５００が、該アドレス信号に基づき該アドレスの半径位置を割出す。
【０００８】
図２及び図３は、光ディスク１００としてのＤＶＤ−ＲＷの場合の説明図である。図２は、光ディスク装置により情報が記録・再生される光ディスク１００（ＤＶＤ−ＲＷ）の外観図で、（ａ）は斜視図、（ｂ）は平面図である。図３は、図２の光ディスク１００（ＤＶＤ−ＲＷ）における各記録領域（エリア）を示す図である。ＤＶＤ−ＲＷの場合、透明な基板上の記録層に、レーザ光の照射により、例えば相変化を利用し結晶質状態あるいは非晶質状態のマークを作り出すことで情報の書込みが可能となる。また、その後、該マークを作ったことによる結晶質状態部、非晶質状態部の光の反射率の変化を読取り、ＤＶＤ−ＲＷの記録情報を再生する。ＤＶＤ−ＲＷは、図２（ａ）のように、所定の制御情報の記録やパワーキャリブレーション等を行う内周部側の第１のインフォメーション領域１１０と、該第１のインフォメーション領域１１０の外側周辺部に設けられる第２のインフォメーション領域１２０とを有する。該第１のインフォメーション領域１１０、該第２のインフォメーション領域１２０では、その情報記録部分に螺旋状のトラックＴに沿ったグルーブ（溝）が形成され、これに基づく情報の記録と読出しとを可能にしている。該トラックＴは、セクタ（記録領域）に分割され、該セクタにはその番地（アドレス）を表す信号としてのＬＰＰ信号（Ｌａｎｄ  Ｐｒｅ  Ｐｉｔ信号）が形成されている。該ＬＰＰ信号は、凹凸ピットで上記グルーブ間のランド部に形成される。情報の記録は上記セクタ単位あるいはＥＣＣブロック単位で行われる。なお、該ＥＣＣブロックは１６個のセクタから形成される。さらに、ＤＶＤ−ＲＷは、図２（ｂ）のように、上記第２のインフォメーション領域１２０が複数の領域（セクタ）に分割されている。つまり、該第２のインフォメーション領域１２０は、内周側にリードイン領域１２１を、また、外周側にリードアウト領域１２２を備え、その間にユーザの情報を読書きするためのユーザデータ領域１２３を備えた構成となっている。図３に示すように、第１のインフォメーション領域（Ｒ−インフォメーション領域）１１０は、パワーキャリブレーションエリア（ＰＣＡ）とレコーディングマネージメントエリア（ＲＭＡ）等に分けられる。ＰＣＡは記録パワー等の最適記録条件を決定するための領域であり、ＲＭＡはディスクに関する各種の記録情報等を格納しておくための領域である。
【０００９】
図４は、上記領域（エリア）の半径位置とアドレス（番地）とを示す。
図４においては、ＰＣＡ領域の開始半径は２２．１×１０−３ｍ、開始アドレスは０１Ｅ８００ｈ、ＲＭＡ領域の開始半径は２２．３×１０−３ｍ、開始アドレスは０２０３Ｃ０ｈである。該アドレス表示におけるｈは１６進数であることを示している。以下、１６進数表示は最後にｈを付加することとする。リードイン開始は、半径２２．６×１０−３ｍ、アドレス０２２ＦＡ０ｈ、ユーザデータ領域開始は、半径２４．０×１０−３ｍ、アドレス０３００００ｈである。本実施例では、リードアウト開始を半径５８．０×１０−３ｍ、アドレス２６１０２０ｈ、リードアウト終了は半径５８．５×１０−３ｍ、アドレス２６Ｃ８１０ｈとしている。
【００１０】
図５は、本発明に係るフォーマット処理の手順例を示す図である。
図５において、フォーマット開始（ステップＳ１０１）の命令に従い、ＰＣＡ領域で最適記録パワーの学習を行い、記録パワーを決定する（ステップＳ１０２）。ステップＳ１０３では、ＲＭＡ領域にフォーマット処理中であることを示すフラグを記録する。この記録中にエラーが発生した場合はフォーマットエラーを返してフォーマット処理を終了させる（エラー終了させる）（ステップＳ１０８―ステップＳ１１４―ステップＳ１１５）。正常にＲＭＡ記録が完了した場合には、リードイン領域からユーザデータ領域に移行し、ステップＳ１０５に示すように、ユーザデータ領域のはじめ（アドレス０３００００ｈ）からデータを記録する。記録データは全て００ｈとし、ユーザデータ領域の最終アドレス２６１０１Ｆｈまで記録する。このユーザデータ領域の記録においても、記録中に記録エラーが発生した場合は、フォーマットエラーを返してフォーマット処理を終了させる（エラー終了させる）。該最終アドレスは任意に設定可能であるが、本実施例の場合は半径５８．０×１０−３ｍまでフォーマット処理を行うために該アドレスを設定している。フォーマット処理の記録中に記録エラーが発生した場合には、上記ステップＳ１０４と同様の処理を行う（ステップＳ１０５）。ユーザデータ領域の記録が正常に終了したら、リードアウト領域の記録に移行する（ステップＳ１０７）。リードアウト領域の開始アドレスは２６１０２０ｈ、最終アドレスは２６ＣＤＡ０ｈとしてある。これはリードアウト領域が半径幅で０．５０×１０−３ｍとなるところである。
【００１１】
以下に、アドレスから半径幅を割出す方法につき述べる。
ＤＶＤ−ＲＷディスクにおいては、アドレス０３００００ｈの半径は２４．０×１０−３ｍ、トラックピッチＴｐは０．０００７４×１０−３ｍ、セクタ長Ｓｌは５．１５×１０−３ｍであるため、アドレスの半径位置ｒは下記数１から算出可能である。
【００１２】
ｒ＝｛（Ｓｌ×Ｔｐ×Ｓｎ／３．１４１６）＋２４×２４｝１／２…（数１）
ここで、Ｓｎはセクタ数で、例えば、上記アドレス２６１０２０ｈの場合は、該セクタ数Ｓｎ＝２６１０２０ｈ−３００００ｈ＝２３１０２０ｈ＝２２９７８８８となる。この値を上記数１に代入すると、アドレス２６１０２０ｈの半径位置は、ｒ＝５８．００×１０−３ｍとなる。同様に、リードアウト最終アドレス２６ＣＤＡ０ｈを上記数１に代入すると、その半径位置は、ｒ＝５８．５０×１０−３ｍとなり、リードアウト領域の半径幅は０．５０×１０−３ｍ（５８．５０×１０−３ｍ−５８．００×１０−３ｍ＝０．５０×１０−３ｍ）となる。このように、アドレスに基づいて半径幅が割出される。
【００１３】
図５において、例えばリードアウト領域を記録中に記録エラーが発生した場合、該記録エラーを記録エラー検出用の回路で検出した後、アドレス検出用の回路により該記録エラーのアドレスを検出し、上記の方法により記録エラーのアドレスの半径位置またはリードアウト領域の半径幅を割出す。次に、該半径幅が所定の範囲に入っているか否かを判定する。あるいは、ステップＳ２００に示すように、エラーが発生した半径位置が所定の半径位置より小さいか否かを判定する。上記半径幅の所定の範囲は０．４５×１０−３ｍ〜０．５０×１０−３ｍである。該範囲においてフォーマット処理時の記録エラーを最も少なくすることが可能な半径幅は、該範囲の最小値０．４５×１０−３ｍである。また、本実施例においては、リードアウト開始半径が５８．００×１０−３ｍであるため、上記所定の半径幅の範囲０．４５×１０−３ｍ〜０．５０×１０−３ｍに対応する所定の半径位置は５８．４５×１０−３ｍ〜５８．５０×１０−３ｍの範囲となり、該半径位置範囲において、フォーマット処理時の記録エラーを最も少なくすることができる半径位置は、最小半径位置の５８．４５×１０−３ｍである。しかしながら本発明では、半径幅は０．４５×１０−３ｍ〜０．５０×１０−３ｍの範囲内の値、半径位置は５８．４５×１０−３ｍ〜５８．５０×１０−３ｍの範囲内の値であればよい。また、エラー発生部のアドレスは、エラー発生部そのものの位置のアドレスである必要はなく、エラー発生部の周辺のアドレスであってもよい。ステップＳ２００で「Ｙｅｓ」と判定された場合は、リードアウト領域の半径幅が所定の半径幅より小さい、あるいは、リードアウト領域の半径位置が所定の半径位置より小さいため、フォーマットエラーを返しフォーマット処理をエラー終了させる（ステップＳ１０８―ステップＳ１１４―ステップＳ１１５）。一方、ステップＳ２００で「Ｎｏ」と判定された場合には、記録エラーを無視して次のステップＳ１１０に進む。ステップＳ１０８で記録中のエラーが発生しなかった場合は、記録最終アドレスまで記録したことを確認して（ステップＳ１０９）、次のステップに進む。ステップＳ１１０ではリードイン領域を記録する。リードイン開始アドレスは０２２ＦＡ０ｈ、終了アドレスは０２ＦＦＦＦｈであるが、リードイン領域中に予め形成されているコントールデータゾーンには記録は行わない。ここでも、ステップＳ１１１のように、記録中に記録エラーを監視していて、記録エラーが発生した場合は、フォーマットエラーを返してフォーマット処理をエラー終了させる（ステップＳ１０８―ステップＳ１１４―ステップＳ１１５）。記録エラーが発生せず、リードインが正常に記録され場合、ステップＳ１１２のように、ＲＭＡ領域にフォーマット完了のフラグを記録する。このとき、記録エラーが発生した場合、フォーマットエラーを返してフォーマット処理をエラー終了させ（ステップＳ１０８―ステップＳ１１４―ステップＳ１１５）、記録エラーが発生せず正常に記録が行われた場合はフォーマット終了とする（ステップＳ１１５）。
【００１４】
図６はアドレスと半径位置の説明図である。例えば，リードアウト領域の半径幅の所定値を０．４５×１０−３ｍとしたとき、記録エラーがアドレス２６Ｂ６Ａ０ｈで発生した場合は、半径位置が５８．４４×１０−３ｍ、半径幅が０．４４×１０−３ｍとなる。これらは所定値より小さいためにフォーマットエラーとなる。一方、記録エラーがアドレス２６ＢＣＤ０ｈで発生した場合は、半径が５８．４６×１０−３ｍで記録幅が０．４６×１０−３ｍとなり、所定の値より大きいため、この場合はフォーマットエラーとはならない。半径幅の所定値を、０．４５×１０−３ｍを超える値であって０．５０×１０−３ｍ以下の値とした場合も同様である。
【００１５】
上記実施例によれば、光ディスク装置のフォーマット処理において、通常時のリードアウト領域として半径幅０．５０×１０−３ｍを確保できるとともに、記録エラーが発生しないリードアウト領域として、０．４５×１０−３ｍ以上の半径幅のリードアウト領域を得ることができる。このため、ディスク外周部で特性が劣化したディスクにおいてもフォーマット処理を完了させることが可能となる。これにより、フォーマット処理時の記録エラーのエラー範囲を縮小しフォーマット処理不可能な不良ディスクの量を減らすことができる。また、少なくともリードアウト領域のフォーマット処理過程で記録エラーを検出するため、該リードアウト領域におけるフォーマット処理を確実に実行することができる。また、リードアウト領域の他、リードイン領域、ユーザデータ領域のフォーマット処理過程でエラー検出を行う構成では、リードイン領域、ユーザデータ領域、リードアウト領域それぞれにおいて、確実にフォーマット処理を実行することができる。
【００１６】
なお、上記実施例においては、リードアウト領域の半径幅の所定値の範囲を０．４５×１０−３ｍから０．５０×１０−３ｍの範囲としたが、下限値０．４５×１０−３ｍは約０．４５×１０−３ｍを含み、上限値０．５０×１０−３ｍは約０．５０×１０−３ｍを含むものとする。
【００１７】
【発明の効果】
本発明によれば、光ディスク装置において、光ディスクのフォーマット処理時の記録エラーを減らし、フォーマット処理を確実に行うことが可能となる。
【図面の簡単な説明】
【図１】本発明の実施例としての光ディスク装置の構成例を示す図である。
【図２】光ディスクとしてのＤＶＤ−ＲＷの外観図である。
【図３】ＤＶＤ−ＲＷにおける記録領域の配置を示す図である。
【図４】ＤＶＤ−ＲＷにおいて各領域の半径位置とアドレスを示す図である。
【図５】本発明におけるフォーマット処理の手順例を示す図である。
【図６】半径位置とアドレスの説明図である。
【符号の説明】
１００…光ディスク、  ２００…光ヘッド、  ２１０…フォーカス誤差信号、２２０…フォーカス・トラッキング制御回路、  ２３０…トラッキング誤差信号、  ２５０…ＬＰＰ復調回路、  ２６０…ＲＦ信号、  ２７０…データ復調回路、  ４２０…符号化回路、  ４３０…記録パルス変換回路、  ４４０…レーザパワー設定回路、  ４５０…レーザ駆動回路、  ５００…システムコントローラ、  ６００…スピンドルモータ、  ６１０…モータ制御回路、  ６２０…スライダモータ、  ６３０…スライダモータ制御回路、  ７００…記録データ。
【図１】
2004227733.tif 000003
【図２】
2004227733.tif 000004
【図３】
2004227733.tif 000005
【図４】
2004227733.tif 000006
【図５】
2004227733.tif 000007
【図６】
2004227733.tif 000008